(57)【特許請求の範囲】
【請求項１】
記録又は再生動作に必要な情報である第１の管理情報が記録された再生専用領域と、記録又は再生動作に必要な情報である第２の管理情報が記録される第１の書換可能領域と、データが記録可能な第２の書換可能領域とからなる記録媒体に対して、記録動作又は再生動作を行うことができる記録又は再生装置において、
上記再生専用領域に記録されている第１の管理情報と、上記第１の書換可能領域に記録されている第２の管理情報と、上記第２の書換可能領域に記録されているデータを再生する再生手段と、
上記記録媒体装着時に上記第１の書換可能領域の所定位置に上記再生手段を移送して上記第２の管理情報を優先的に再生するように制御する再生制御手段と、
前回の再生時に上記再生手段によって、上記再生専用領域から再生された第１の管理情報と、上記第１の書換可能領域から再生された第２の管理情報とを記憶する記憶手段と、
上記記憶手段に記憶されていた第２の管理情報と、上記優先的に再生された第２の管理情報を比較する比較手段と、
上記比較手段により、上記記憶手段に記憶されていた第２の管理情報と上記優先的に再生された第２の管理情報が一致したと判断された場合には、記録媒体の交換が行われていないと判断し、上記再生専用領域に記録されている第１の管理情報の再生を行わないで管理情報の再生を停止し、一方、上記比較手段により、上記記憶手段に記憶されていた第２の管理情報と上記優先的に再生された第２の管理情報が不一致と判断された場合には、記録媒体の交換が行われていると判断し、上記再生専用領域に記録されている第１の管理情報の再生を行ってから管理情報の再生を停止する管理情報読込制御手段と、
を備えてなることを特徴とする記録又は再生装置。
【請求項２】
上記管理情報読込制御手段は、
上記比較手段により、上記記憶手段に記憶されていた第２の管理情報と上記優先的に再生された第２の管理情報が不一致と判断された場合には、記録媒体の交換が行われていると判断し、上記再生専用領域に記録されている第１の管理情報の再生を行った後に、更に再生した第１の管理情報に基づいて第２の管理情報の記録位置を確認し、上記第２の管理情報の記録位置と上記優先的に再生を開始した第２の管理情報の記録位置である第１の書換可能領域の所定位置が異なっている場合には、再度第２の管理情報の再生を実行させることを特徴とする請求項１に記載の記録又は再生装置。
【発明の詳細な説明】
【０００１】
【産業上の利用分野】
本発明は、例えば光磁気ディスク、光ディスク、磁気ディスク、磁気テープなどの記録媒体であって、記録／再生動作のための管理情報が設けられている記録媒体に対応する記録装置、又は再生装置に関するものである。
【０００２】
【従来の技術】
各種記録媒体及びそれらに対応する記録装置、再生装置が開発されているが、例えばコンパクトディスクとして知られる光ディスクのように、音楽などのデータとは別に、これの記録再生動作を管理する管理情報が記録されているものが普及している。この管理情報は一般にＴＯＣ情報（目次情報）と呼ばれ、例えばコンパクトディスクの場合は、ディスク最内周位置にＴＯＣ情報エリアが設けられ、収録されている各曲のディスク上での開始アドレスなどが記録されている。
【０００３】
また近年開発されたミニディスクシステムでは、コンパクトディスクとほぼ同様の形態でデータが記録されているプリマスタードディスク（再生専用ディスク）と、ユーザーが音楽データ等を記録することのできるデータ書換可能な光磁気ディスクの両方を用いることができるようにされている。
【０００４】
そして、プリマスタードディスクの場合は、コンパクトディスクと同様に全てのエリアがエンボスピット形態によるデータ記録とされ、またディスク最内周側にはＴＯＣ情報が記録されている。
一方、データ書換可能な光磁気ディスクの場合は、ディスク最内周側にピット形態によってＴＯＣ情報が記録されるエリアが設けられ、それより外周は光磁気エリアとしてデータ書換可能とされている。そして光磁気エリアの内周側位置には、書換可能なＴＯＣ情報のエリアが設けられている。
なお、ピット形態で記録されるＴＯＣ情報をＰ−ＴＯＣ（プリマスタードＴＯＣ）、光磁気エリアに記録され書換可能ＴＯＣ情報をＵ−ＴＯＣ（ユーザーＴＯＣ）と呼ぶ。
【０００５】
光磁気ディスクの場合は、音楽等のデータをユーザーが自由に書き換えることができるため、その録音や消去などの動作に応じて管理情報も変更されなければならない。このためＰ−ＴＯＣでは基本的なディスク上のエリア管理情報などが記録され、一方、楽曲等のデータが記録されているエリアや未記録エリアのアドレスなどの管理データは、Ｕ−ＴＯＣ内に記録される。
【０００６】
そして、例えば或る楽曲の録音を行なおうとする際には、録音装置はＵ−ＴＯＣからディスク上の未記録エリアを探し出し、ここに音声データを記録していくようになされている。また、再生装置においては再生すべき楽曲（トラック）が記録されているエリアをＵ−ＴＯＣから判別し、そのエリアにアクセスして再生動作を行なう。
【０００７】
【発明が解決しようとする課題】
ところで、このようにＴＯＣ情報を有するディスクを用いる記録再生装置では、ディスクを装填した際や電源をオンとした際に、まずＴＯＣ情報を読み込むことになるが、ミニディスクシステムにおける光磁気ディスクを使用する場合には、このＴＯＣ読込動作としてＰ−ＴＯＣの読込とＵ−ＴＯＣの読込の両方を行なわなければならない。
一方、ミニディスクシステムでもプリマスタードディスクを用いる場合や、コンパクトディスクプレーヤでコンパクトディスクの再生を行なう場合は、ＴＯＣ読込動作としてＰ−ＴＯＣの読込を行なうだけでよい。
【０００８】
これらのＴＯＣ読込が終了しなければディスクに対する録音や再生を行なうことはできないため、ミニディスク記録再生装置で光磁気ディスクに対してを記録／再生動作を行なう場合は、プリマスタードディスクを用いて再生動作する場合、もしくはコンパクトディスクプレーヤの場合などに比べてＴＯＣ読込動作に時間がかかり、これによって例えばユーザーの電源オン操作やディスク装填動作が行なわれてから、実際の記録／再生の動作が開始可能となるまでの時間が長くかかってしまいユーザーの使用感が悪化するという問題があった。
【０００９】
【課題を解決するための手段】
本発明はこのような問題点に鑑みて、例えばミニディスクシステムにおける光磁気ディスクのように第１，第２の管理情報が存在するものについても、管理情報の読込動作時間を短縮化し、使用性を向上させることを目的とする。
【００１０】
このため、まず少なくとも動作対象となった記録媒体についての第１の管理情報における、記録動作又は再生動作に必要な情報を記憶しておく記憶手段を設ける。
また読み込まれた第２の管理情報を用いて、記録媒体が前回の動作時から交換されているか否かを判別することができる比較手段を設ける。
そして管理情報の読込動作を実行させる管理情報読込制御手段としては、管理情報の読込動作時に、まず優先的に第２の管理情報の読み込みを行なう。そしてそのときに比較手段によって記憶されていた第２の管理情報と上記優先的に再生された第２の管理情報が一致したことによって記録媒体が交換されていないと判別された場合は、第１の管理情報を読み込まないで管理情報の読込動作を終了する。一方、比較手段によって記憶されていた第２の管理情報と上記優先的に再生された第２の管理情報が不一致とされ記録媒体が交換されていると判別された場合には続いて第１の管理情報の読み込みを行なってから管理情報の読込動作を終了するようにする。
【００１１】
また、この管理情報読込制御手段は、比較手段によって記録媒体が交換されていると判別され第１の管理情報の読込を行なった後、第１の管理情報から第２の管理情報の記録位置を確認し、第２の管理情報の記録位置が最初の第２の管理情報の読込動作位置と異なっていた場合は、第１の管理情報に示される位置からの第２の管理情報の読込動作を実行するようにする。
【００１２】
【作用】
再生専用のデータである第１の管理情報については、記憶手段に記憶しておけば、再び読み込む必要はない。つまり、前回の動作時と同一の記録媒体であれば、記憶手段に記憶しておいた第１の管理情報を、今回の動作についても使用することができる。従って、第２の管理情報のみを読み込めば良い。
【００１３】
【実施例】
以下、図１〜図７を用いて本発明の再生装置の実施例を説明する。
この実施例は光磁気ディスク（ミニディスク）を記録媒体として用いる記録再生装置とする。
説明は次の順序で行なう。
１．記録再生装置の構成
２．Ｐ−ＴＯＣセクター
３．Ｕ−ＴＯＣセクター
４．ＴＯＣによる管理例
５．ＴＯＣ読込動作
【００１４】
１．記録再生装置の構成
図１は実施例の記録再生装置の要部のブロック図を示している。
音声データが記録されている光磁気ディスク１は、スピンドルモータ２により回転駆動される。そして光磁気ディスク１に対しては記録／再生時に光学ヘッド３によってレーザ光が照射される。なお、再生動作に関しては音声データがピット形態で記録されるプリマスタードディスクも用いられる場合がある。
【００１５】
光学ヘッド３は、記録時には記録トラックをキュリー温度まで加熱するための高レベルのレーザ出力を行ない、また再生時には磁気カー効果により反射光からデータを検出するための比較的低レベルのレーザ出力を行なう。
このため、光学ヘッド３にはレーザ出力手段としてのレーザダイオード、偏光ビームスプリッタや対物レンズ等からなる光学系、及び反射光を検出するためのディテクタが搭載されている。対物レンズ３ａは２軸機構４によってディスク半径方向及びディスクに接離する方向に変位可能に保持されている。
【００１６】
また、ディスク１を挟んで光学ヘッド３と対向する位置に磁気ヘッド６ａが配置されている。磁気ヘッド６ａは供給されたデータによって変調された磁界を光磁気ディスク１に印加する動作を行なう。
光学ヘッド３全体及び磁気ヘッド６ａは、スレッド機構５によりディスク半径方向に移動可能とされている。
【００１７】
再生動作によって、光学ヘッド３によりディスク１から検出された情報はＲＦアンプ７に供給される。ＲＦアンプ７は供給された情報の演算処理により、再生ＲＦ信号、トラッキングエラー信号ＴＥ、フォーカスエラー信号ＦＥ、グルーブ情報（光磁気ディスク１にプリグルーブ（ウォブリンググルーブ）として記録されている絶対位置情報）ＧＦＭ等を抽出する。
抽出された再生ＲＦ信号はエンコーダ／デコーダ部８に供給される。また、トラッキングエラー信号ＴＥ、フォーカスエラー信号ＦＥはサーボ回路９に供給され、グルーブ情報ＧＦＭはアドレスデコーダ１０に供給される。
【００１８】
サーボ回路９は供給されたトラッキングエラー信号ＴＥ、フォーカスエラー信号ＦＥや、マイクロコンピュータにより構成されるシステムコントローラ１１からのトラックジャンプ指令、アクセス指令、スピンドルモータ２の回転速度検出情報等により各種サーボ駆動信号を発生させ、２軸機構４及びスレッド機構５を制御してフォーカス及びトラッキング制御を行ない、またスピンドルモータ２を一定線速度（ＣＬＶ）に制御する。
【００１９】
アドレスデコーダ１０は供給されたグルーブ情報ＧＦＭをデコードしてアドレス情報を抽出する。このアドレス情報はシステムコントローラ１１に供給され、各種の制御動作に用いられる。
また再生ＲＦ信号についてはエンコーダ／デコーダ部８においてＥＦＭ復調、ＣＩＲＣ等のデコード処理が行なわれるが、このときデータとして再生ＲＦ信号に含まれているアドレス、サブコードなども抽出され、システムコントローラ１１に供給される。
【００２０】
エンコーダ／デコーダ部８でＥＦＭ復調、ＣＩＲＣ等のデコード処理された音声データ（セクターデータ）は、メモリコントローラ１２によって一旦バッファＲＡＭ１３に書き込まれる。なお、光学ヘッド３によるディスク１からのデータの読み取り及び光学ヘッド３からバッファＲＡＭ１３までの系における再生データの転送は１．４１Ｍｂｉｔ／ｓｅｃで、しかも通常は間欠的に行なわれる。
【００２１】
バッファＲＡＭ１３に書き込まれたデータは、再生データの転送が０．３Ｍｂｉｔ／ｓｅｃ  となるタイミングで読み出され、エンコーダ／デコーダ部１４に供給される。そして、音声圧縮処理に対するデコード処理等の再生信号処理を施され、Ｄ／Ａ変換器１５によってアナログ信号とされ、出力端子１６から所定の増幅回路部へ供給されて再生出力される。例えばＬ，Ｒアナログオーディオ信号として出力される。
【００２２】
光磁気ディスク１に対して記録動作が実行される際には、入力端子１７に供給された記録信号（アナログオーディオ信号）は、Ａ／Ｄ変換器１８によってデジタルデータとされた後、エンコーダ／デコーダ部１４に供給され、音声圧縮エンコード処理を施される。
エンコーダ／デコーダ部１４によって圧縮された記録データはメモリコントローラ１２によって一旦バッファＲＡＭ１３に書き込まれ、また所定タイミングで読み出されてエンコーダ／デコーダ部８に送られる。そしてエンコーダ／デコーダ部８でＣＩＲＣエンコード、ＥＦＭ変調等のエンコード処理された後、磁気ヘッド駆動回路６に供給される。
【００２３】
磁気ヘッド駆動回路６はエンコード処理された記録データに応じて、磁気ヘッド６ａに磁気ヘッド駆動信号を供給する。つまり、光磁気ディスク１に対して磁気ヘッド６ａによるＮ又はＳの磁界印加を実行させる。また、このときシステムコントローラ１１は光学ヘッドに対して、記録レベルのレーザ光を出力するように制御信号を供給する。
【００２４】
操作部１９には、ユーザー操作に供される各種キーが設けられている。例えば録音キー、再生キー、停止キー、ＡＭＳキー、早送りキー、早戻しキー等が設けられ、その操作情報はシステムコントローラ１１に供給される。
表示部２０は例えば液晶ディスプレイによって構成され、動作状態、トラックナンバ、時間情報等をシステムコントローラ１１の制御に基づいて表示する動作を行なう。
【００２５】
また、ディスク１に対して記録／再生動作を行なう際には、ディスク１に記録されている管理情報、即ちＰ−ＴＯＣ（プリマスタードＴＯＣ）、Ｕ−ＴＯＣ（ユーザーＴＯＣ）を読み出す必要がある。システムコントローラ１１はこれらの管理情報に応じてディスク１上の記録すべきエリアのアドレスや、再生すべきエリアのアドレスを判別することとなる。この管理情報はバッファＲＡＭ１３に保持される。このためバッファＲＡＭ１３は、上記した記録データ／再生データのバッファエリアと、これら管理情報を保持するエリアが分割設定されている。
そして、システムコントローラ１１はこれらの管理情報を、ディスク１が装填された際に管理情報の記録されたディスクの最内周側の再生動作を実行させることによって読み出し、バッファＲＡＭ１３に記憶しておき、以後そのディスク１に対する記録／再生動作の際に参照できるようにしている。
【００２６】
また、Ｕ−ＴＯＣはデータの記録や消去に応じて編集されて書き換えられるものであるが、システムコントローラ１１は記録／消去動作のたびにこの編集処理をバッファＲＡＭ１３に記憶されたＵ−ＴＯＣ情報に対して行ない、その書換動作に応じて所定のタイミングでディスク１のＵ−ＴＯＣエリアについても書き換えるようにしている。
【００２７】
システムコントローラ１１には電源バックアップ構成がとられたＳ−ＲＡＭ１１ａが搭載されており、このＳ−ＲＡＭ１１ａには、後述するように読み込んだＴＯＣ情報の一部を記憶していくようにしている。
なお、これはＳ−ＲＡＭに代えて、Ｄ−ＲＡＭでバックアップ構成をとるものや、不揮発性メモリ等を採用してもよい。つまり、装置が電源オフ状態となっても記憶内容が消失されないものであればよい。
【００２８】
２．Ｐ−ＴＯＣセクター
ここで、ディスク１においてトラックの記録／再生動作などの管理を行なう管理情報として、まずＰ−ＴＯＣセクターについて説明する。
Ｐ−ＴＯＣ情報としては、ディスクの記録可能エリア（レコーダブルユーザーエリア）などのエリア指定やＵ−ＴＯＣエリアの管理等が行なわれる。なお、ディスク１が再生専用の光ディスクであるプリマスタードディスクの場合は、Ｐ−ＴＯＣによってＲＯＭ化されて記録されている楽曲の管理も行なうことができるようになされている。
【００２９】
図３はＰ−ＴＯＣ用とされる領域（例えばディスク最内周側のＲＯＭエリア）において繰り返し記録されるＰ−ＴＯＣ情報の１つのセクター（セクター０）を示している。なお、Ｐ−ＴＯＣセクターはセクター０〜セクター４まで存在するが、セクター１以降はオプションとされている。
【００３０】
Ｐ−ＴＯＣセクター０のデータ領域（４バイト×５８８  の２３５２バイト）は、先頭位置にオール０又はオール１の１バイトデータによって成る同期パターンを及びクラスタアドレス（Ｃｌｕｓｔｅｒ  Ｈ）  （Ｃｌｕｓｔｅｒ  Ｌ）  及びセクターアドレス（Ｓｅｃｔｏｒ）となるアドレスや、モード情報（ＭＯＤＥ）が４バイト付加され、以上でヘッダとされる。
セクターとは、２３５２バイトのデータ単位であり、３６セクターが１クラスタとなる。アドレスについては、このＰ−ＴＯＣセクター０に限らず、後述するＵ−ＴＯＣセクターや、実際に音声データが記録されるセクターでも、そのセクター単位に記録されている。
クラスタアドレスは、上位アドレス（Ｃｌｕｓｔｅｒ  Ｈ）  と下位アドレス（Ｃｌｕｓｔｅｒ  Ｌ）  の２バイトで記され、セクターアドレス（Ｓｅｃｔｏｒ）は１バイトで記される。
また、ヘッダに続いて所定アドレス位置に『ＭＩＮＩ』という文字に対応したアスキーコードによる識別ＩＤが付加され、Ｐ−ＴＯＣの領域であることが示される。
【００３１】
さらに、続いてディスクタイプや録音レベル、記録されている最初のトラックのトラックナンバ（Ｆｉｒｓｔ  ＴＮＯ）、最後のトラックのトラックナンバ（Ｌａｓｔ  ＴＮＯ）  、リードアウトスタートアドレスＬＯＡ  、パワーキャルエリアスタートアドレスＰＣＡ  、セクター使用状況（Ｕｓｅｄ  ｓｅｃｔｏｒｓ）、Ｕ−ＴＯＣのスタートアドレスＵＳＴＡ  、録音可能なエリア（レコーダブルユーザーエリア）のスタートアドレスＲＳＴＡ  、録音時のレーザパワー推奨値（ＲｅｃパワーＰＷ２）等が記録される。
【００３２】
続いて、ピット形態で記録されている各楽曲等を後述する管理テーブル部におけるパーツテーブルに対応させるテーブルポインタ（Ｐ−ＴＮＯ１  〜Ｐ−ＴＮＯ２５５）  を有する対応テーブル指示データ部が用意されている。
【００３３】
そして対応テーブル指示データ部に続く領域には、テーブルポインタ（Ｐ−ＴＮＯ１  〜Ｐ−ＴＮＯ２５５）  に対応されることになる、（０１ｈ）  〜（ＦＦｈ）  までの２５５個のパーツテーブルが設けられた管理テーブル部が用意される。なお本明細書において『ｈ』を付した数値はいわゆる１６進表記のものである。
それぞれのパーツテーブルには、或るパーツについて起点となるスタートアドレス、終端となるエンドアドレス、及びそのパーツのモード情報（トラックモード）が記録できるようになされている。
なお、パーツとは１つのトラック内で時間的に連続したデータが物理的に連続して記録されているトラック部分のことをいう。
【００３４】
各パーツテーブルにおけるトラックのモード情報とは、そのパーツが例えばオーバーライト禁止やデータ複写禁止に設定されているか否かの情報や、オーディオ情報か否か、モノラル／ステレオの種別などが記録されている。
【００３５】
管理テーブル部における（０１ｈ）  〜（ＦＦｈ）  までの各パーツテーブルは、対応テーブル指示データ部のテーブルポインタ  （Ｐ−ＴＮＯ１〜Ｐ−ＴＮＯ２５５）  によって、そのパーツの内容が示される。つまり、第１トラック（１曲目）についてはテーブルポインタＰ−ＴＮＯ１として或るパーツテーブル（例えば（０１ｈ））が記録されており、この場合パーツテーブル（０１ｈ）  のスタートアドレスは第１トラックの記録位置のスタートアドレスとなり、同様にエンドアドレスは第１トラックの記録された位置のエンドアドレスとなる。さらに、トラックモード情報はその第１トラックについての情報となる。
なお、実際にはテーブルポインタには所定の演算処理によりＰ−ＴＯＣセクター０内のバイトポジションで或るパーツテーブルを示すことができる数値が記されている。
【００３６】
同様に第２トラック（２曲目）についてはテーブルポインタＰ−ＴＮＯ２に示されるパーツテーブル（例えば（０２ｈ）  ）に、その第２トラックの記録位置のスタートアドレス、エンドアドレス、及びトラックモード情報が記録されている。
以下同様にテーブルポインタはＰ−ＴＮＯ２５５まで用意されているため、Ｐ−ＴＯＣ上では第２５５トラックまで管理可能とされている。
そして、このようにＰ−ＴＯＣセクター０が形成されることにより、例えば再生時において、所定の楽曲をアクセスして再生させることができる。
【００３７】
なお、記録／再生可能な光磁気ディスクの場合いわゆるプリマスタードの楽曲エリアが存在しないため、上記した対応テーブル指示データ部及び管理テーブル部は用いられず、従って各バイトは全て『００ｈ』とされている。
ただし、全ての楽曲がＲＯＭ形態（ピット形態）で記録されているプリマスタードタイプのディスク、及び楽曲等が記録されるエリアとしてＲＯＭエリアと光磁気エリアの両方を備えたハイブリッドタイプのディスクについては、そのＲＯＭエリア内の楽曲の管理に上記の対応テーブル指示データ部及び管理テーブル部が用いられる。
【００３８】
３．Ｕ−ＴＯＣセクター
続いてＵ−ＴＯＣの説明を行なう。
なお、Ｕ−ＴＯＣセクターとしてはセクター０〜セクター７まで設けることができるが、セクター１，セクター４は文字情報、セクター２は録音日時を記録するエリアとされる。ここでは、ディスク１の記録／再生動作に必ず必要となるＵ−ＴＯＣセクター０についてのみ説明を行なうこととする。
【００３９】
図４はＵ−ＴＯＣセクター０のフォーマットを示しており、主にユーザーが録音を行なった楽曲や新たに楽曲が録音可能なフリーエリアについての管理情報が記録されているデータ領域とされる。
例えばディスク１に或る楽曲の録音を行なおうとする際には、システムコントローラ１１は、Ｕ−ＴＯＣセクター０からディスク上のフリーエリアを探し出し、ここに音声データを記録していくことになる。また、再生時には再生すべき楽曲が記録されているエリアをＵ−ＴＯＣセクター０から判別し、そのエリアにアクセスして再生動作を行なう。
【００４０】
図４に示すＵ−ＴＯＣセクター０には、Ｐ−ＴＯＣと同様にまずヘッダが設けられ、同期パターンに続いてクラスタアドレス（Ｃｌｕｓｔｅｒ  Ｈ）  （Ｃｌｕｓｔｅｒ  Ｌ）  及びセクターアドレス（Ｓｅｃｔｏｒ）、モード情報（ＭＯＤＥ）が記録される。
続いて所定アドレス位置に、メーカーコード、モデルコード、最初のトラックのトラックナンバ（Ｆｉｒｓｔ  ＴＮＯ）、最後のトラックのトラックナンバ（Ｌａｓｔ  ＴＮＯ）、セクター使用状況（Ｕｓｅｄ  ｓｅｃｔｏｒｓ）、ディスクシリアルナンバ、ディスクＩＤ等のデータが記録される。
【００４１】
さらに、ユーザーが録音を行なって記録されている楽曲の領域やフリーエリア等を後述する管理テーブル部に対応させることによって識別するため、対応テーブル指示データ部として各種のテーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  が記録される領域が用意されている。
【００４２】
そしてテーブルポインタ（Ｐ−ＤＦＡ〜Ｐ−ＴＮＯ２５５）  に対応させることになる管理テーブル部として（０１ｈ）  〜（ＦＦｈ）  までの２５５個のパーツテーブルが設けられ、それぞれのパーツテーブルには、上記図３のＰ−ＴＯＣセクター０と同様に或るパーツについて起点となるスタートアドレス、終端となるエンドアドレス、そのパーツのモード情報（トラックモード）が記録されている。
さらにこのＵ−ＴＯＣセクター０の場合、各パーツテーブルで示されるパーツが他のパーツへ続いて連結される場合があるため、その連結されるパーツのスタートアドレス及びエンドアドレスが記録されているパーツテーブルを示すリンク情報が記録できるようにされている。
【００４３】
この種の記録再生装置では、１つの楽曲のデータを物理的に不連続に、即ち複数のパーツにわたって記録されていてもパーツ間でアクセスしながら再生していくことにより再生動作に支障はないため、ユーザーが録音する楽曲等については、録音可能エリアの効率使用等の目的から、複数パーツにわけて記録する場合もある。
【００４４】
そのため、リンク情報が設けられ、例えば各パーツテーブルに与えられたナンバ（０１ｈ）  〜（ＦＦｈ）  によって、連結すべきパーツテーブルを指定することによってパーツテーブルが連結できるようになされている。
つまりＵ−ＴＯＣセクター０における管理テーブル部においては、１つのパーツテーブルは１つのパーツを表現しており、例えば３つのパーツが連結されて構成される楽曲についてはリンク情報によって連結される３つのパーツテーブルによって、そのパーツ位置の管理はなされる。
【００４５】
なお、実際にはリンク情報は所定の演算処理によりＵ−ＴＯＣセクター０内のバイトポジションとされる数値で示される。即ち、３０４＋（リンク情報）×８（バイト目）としてパーツテーブルを指定する。
また、プリマスタードディスク等においてピット形態で記録される楽曲等については通常パーツ分割されることがないため、前記図３のとおりＰ−ＴＯＣセクター０においてリンク情報はすべて『（００ｈ）  』とされている。
【００４６】
Ｕ−ＴＯＣセクター０の管理テーブル部における（０１ｈ）  〜（ＦＦｈ）  までの各パーツテーブルは、対応テーブル指示データ部におけるテーブルポインタ（Ｐ−ＤＦＡ，Ｐ−ＥＭＰＴＹ  ，Ｐ−ＦＲＡ  ，Ｐ−ＴＮＯ１〜Ｐ−ＴＮＯ２５５）  によって、以下のようにそのパーツの内容が示される。
【００４７】
テーブルポインタＰ−ＤＦＡ  は光磁気ディスク１上の欠陥領域に付いて示しており、傷などによる欠陥領域となるトラック部分（＝パーツ）が示された１つのパーツテーブル又は複数のパーツテーブル内の先頭のパーツテーブルを指定している。つまり、欠陥パーツが存在する場合はテーブルポインタＰ−ＤＦＡ  において（０１ｈ）  〜（ＦＦｈ）  のいづれかが記録されており、それに相当するパーツテーブルには、欠陥パーツがスタート及びエンドアドレスによって示されている。また、他にも欠陥パーツが存在する場合は、そのパーツテーブルにおけるリンク情報として他のパーツテーブルが指定され、そのパーツテーブルにも欠陥パーツが示されている。そして、さらに他の欠陥パーツがない場合はリンク情報は例えば『（００ｈ）  』とされ、以降リンクなしとされる。
【００４８】
テーブルポインタＰ−ＥＭＰＴＹ  は管理テーブル部における１又は複数の未使用のパーツテーブルの先頭のパーツテーブルを示すものであり、未使用のパーツテーブルが存在する場合は、テーブルポインタＰ−ＥＭＰＴＹ  として、（０１ｈ）  〜（ＦＦｈ）  のうちのいづれかが記録される。未使用のパーツテーブルが複数存在する場合は、テーブルポインタＰ−ＥＭＰＴＹ  によって指定されたパーツテーブルからリンク情報によって順次パーツテーブルが指定されていき、全ての未使用のパーツテーブルが管理テーブル部上で連結される。
【００４９】
テーブルポインタＰ−ＦＲＡ  は光磁気ディスク１上のデータの書込可能なフリーエリア（消去領域を含む）について示しており、フリーエリアとなるトラック部分（＝パーツ）が示された１又は複数のパーツテーブル内の先頭のパーツテーブルを指定している。つまり、フリーエリアが存在する場合はテーブルポインタＰ−ＦＲＡ  において（０１ｈ）  〜（ＦＦｈ）  のいづれかが記録されており、それに相当するパーツテーブルには、フリーエリアであるパーツがスタート及びエンドアドレスによって示されている。また、このようなパーツが複数個有り、つまりパーツテーブルが複数個有る場合はリンク情報により、リンク情報が『（００ｈ）  』となるパーツテーブルまで順次指定されている。
【００５０】
図５にパーツテーブルにより、フリーエリアとなるパーツの管理状態を模式的に示す。これはパーツ（０３ｈ）（１８ｈ）（１Ｆｈ）（２Ｂｈ）（Ｅ３ｈ）  がフリーエリアとされている時に、この状態が対応テーブル指示データＰ−ＦＲＡ  に引き続きパーツテーブル（０３ｈ）（１８ｈ）（１Ｆｈ）（２Ｂｈ）（Ｅ３ｈ）  のリンクによって表現されている状態を示している。なお上記した欠陥領域や未使用パーツテーブルの管理形態もこれと同様となる。
【００５１】
ところで、全く楽曲等の音声データの記録がなされておらず欠陥もない光磁気ディスクであれば、テーブルポインタＰ−ＦＲＡ  によってパーツテーブル（０１ｈ）  が指定され、これによってディスクのレコーダブルユーザーエリアの全体がフリーエリアであることが示される。そして、この場合残る（０２ｈ）  〜（ＦＦｈ）  のパーツテーブルは使用されていないことになるため、上記したテーブルポインタＰ−ＥＭＰＴＹ  によってパーツテーブル（０２ｈ）  が指定され、また、パーツテーブル（０２ｈ）  のリンク情報としてパーツテーブル（０３ｈ）  が指定され・・・・・・、というようにパーツテーブル（ＦＦｈ）  まで連結される。この場合パーツテーブル（ＦＦｈ）  のリンク情報は以降連結なしを示す『（００ｈ）  』とされる。
なお、このときパーツテーブル（０１ｈ）  については、スタートアドレスとしてはレコーダブルユーザーエリアのスタートアドレスが記録され、またエンドアドレスとしてはリードアウトスタートアドレスの直前のアドレスが記録されることになる。
【００５２】
テーブルポインタＰ−ＴＮＯ１〜Ｐ−ＴＮＯ２５５は、光磁気ディスク１にユーザーが記録を行なった楽曲などのトラックについて示しており、例えばテーブルポインタＰ−ＴＮＯ１では第１トラックのデータが記録された１又は複数のパーツのうちの時間的に先頭となるパーツが示されたパーツテーブルを指定している。
例えば第１トラックとされた楽曲がディスク上でトラックが分断されずに、つまり１つのパーツで記録されている場合は、その第１トラックの記録領域はテーブルポインタＰ−ＴＮＯ１で示されるパーツテーブルにおけるスタート及びエンドアドレスとして記録されている。
【００５３】
また、例えば第２トラックとされた楽曲がディスク上で複数のパーツに離散的に記録されている場合は、その第２トラックの記録位置を示すため各パーツが時間的な順序に従って指定される。つまり、テーブルポインタＰ−ＴＮＯ２に指定されたパーツテーブルから、さらにリンク情報によって他のパーツテーブルが順次時間的な順序に従って指定されて、リンク情報が『（００ｈ）  』となるパーツテーブルまで連結される（上記、図５と同様の形態）。このように例えば２曲目を構成するデータが記録された全パーツが順次指定されて記録されていることにより、このＵ−ＴＯＣセクター０のデータを用いて、２曲目の再生時や、その２曲目の領域へのオーバライトを行なう際に、光学ヘッド３及び磁気ヘッド６をアクセスさせ離散的なパーツから連続的な音楽情報を取り出したり、記録エリアを効率使用した記録が可能になる。
【００５４】
４．ＴＯＣによる管理例
以上のように、書換可能な光磁気ディスク１については、ディスク上のエリア管理はＰ−ＴＯＣによってなされ、またレコーダブルユーザーエリアにおいて記録された楽曲やフリーエリア等はＵ−ＴＯＣにより行なわれる。
これらのＴＯＣ情報はバッファＲＡＭ１３に読み込まれてシステムコントローラ１１がこれを参照できるようになされる
【００５５】
ここで、ディスク１のエリア構造を説明し、Ｐ−ＴＯＣ、Ｕ−ＴＯＣによる管理例を述べる。
図６はディスク１のエリア構造をその半径方向に模式的に示したものである。
光磁気ディスクの場合、大きくわけて図６にピットエリアとして示すようにエンボスピットによりデータが記録されているエリア（プリマスタードエリア）と、いわゆる光磁気エリアとされてグルーブが設けられているグルーブエリアに分けられる。
【００５６】
ここでピットエリアとしては上記したＰ−ＴＯＣが繰り返し記録されており、上述したようにこのＰ−ＴＯＣにおいて、Ｕ−ＴＯＣの位置がＵ−ＴＯＣスタートアドレスＵＳＴＡ  として示され、また、リードアウトスタートアドレスＬＯＡ  、レコーダブルユーザーエリアスタートアドレスＲＳＴＡ  、パワーキャルエリアスタートアドレスＰＣＡ  等、図６に示す各アドレス位置が示されていることになる。
【００５７】
このディスク１の最内周側のピットエリアに続いてグルーブエリアが形成されるが、このグルーブエリア内のうちＰ−ＴＯＣ内のリードアウトスタートアドレスＬＯＡ  として示されるアドレスまでのエリアが、記録可能なレコーダブルエリアとされ、以降はリードアウトエリアとされている。
さらにこのレコーダブルエリアのうち、実際に音楽等のデータが記録されるレコーダブルユーザーエリアは、レコーダブルユーザーエリアスタートアドレスＲＳＴＡ  から、リードアウトスタートアドレスＬＯＡ  直前の位置までとなる。
【００５８】
そして、グルーブエリア内においてレコーダブルユーザーエリアスタートアドレスＲＳＴＡ  より前となるエリアは、記録再生動作のための管理エリアとされ、上記したＵ−ＴＯＣが記録され、またパワーキャルエリアスタートアドレスＰＣＡ  として示される位置から１クラスタ分がレーザーパワーのキャリブレーションエリアとして設けられる。
Ｕ−ＴＯＣはこの記録再生動作のための管理エリア内においてＵ−ＴＯＣスタートアドレスＵＳＴＡ  に示される位置から３クラスタ（１クラスタ＝３６セクター）連続して記録される。
【００５９】
実際の音声データは例えば図６に例示するように、レコーダブルユーザーエリアに記録される。この場合、４曲の楽曲Ｍ１  〜Ｍ４  （第１トラック〜第４ラック）が記録されている場合を示している。
まずアドレスＡ０  〜Ａ１  のパーツとして第１曲目の楽曲Ｍ１  が記録され、また第２曲目の楽曲Ｍ２  はアドレスＡ２  〜Ａ３  のパーツに記録された部分Ｍ２（１）とアドレスＡ６  〜Ａ７  のパーツに記録された部分Ｍ２（２）にわかれて記録されている。また、第３曲目の楽曲Ｍ３  はアドレスＡ４  〜Ａ５  のパーツに記録され、第４曲目の楽曲Ｍ４  はアドレスＡ８  〜Ａ９  のパーツに記録されている。
この状態で、まだ楽曲の記録されていないフリーエリアはアドレスＡ１０〜Ａ１１のパーツとなる。
【００６０】
例えばこのような記録状態はＵ−ＴＯＣ内において上述したように、テーブルポインタＰ−ＴＮＯ１〜Ｐ−ＴＮＯ４、Ｐ−ＦＲＡ  、及びこれに連結されるパーツテーブルによって管理される。
この場合の管理状態を図７に示す。
図６におけるレコーダブルユーザーエリアに欠陥は無いものとすると、テーブルポインタＰ−ＤＦＡ  は『００ｈ』とされる。
【００６１】
テーブルポインタＰ−ＦＲＡ  は未記録領域（フリーエリア）を管理するため、例えばこの場合、テーブルポインタＰ−ＦＲＡ  に（０６ｈ）というパーツテーブルが示されているとすると、これに対応してパーツテーブル（０６ｈ）には、図６のフリーエリアとなるパーツについての情報が示されている。つまりアドレスＡ１０がスタートアドレス、アドレスＡ１１がエンドアドレスとして示される。なお、この場合他のパーツとしてのフリーエリアは存在しないため、パーツテーブル（０６ｈ）のリンク情報は『００ｈ』とされる。
【００６２】
また第１曲目Ｍ１  についてはテーブルポインタＰ−ＴＮＯ１に示される（０１ｈ）のパーツテーブルにおいてそのスタートアドレスＡ０  及びエンドアドレスＡ１  が示される。楽曲Ｍ１  は１つのパーツに記録されているため、パーツテーブル（０１ｈ）のリンク情報は『００ｈ』とされている。
【００６３】
第２曲目Ｍ２  については、テーブルポインタＰ−ＴＮＯ２に示される（０２ｈ）のパーツテーブルにおいてそのスタートアドレスＡ２  及びエンドアドレスＡ３  が示されている。ただし楽曲Ｍ２  は２つのパーツ（Ｍ２（１）とＭ２（２））に別れて記録されており、アドレスＡ２  及びアドレスＡ３  は楽曲Ｍ２  の前半部分（Ｍ２（１））のパーツを示すのみである。そこでパーツテーブル（０２ｈ）のリンク情報として例えばパーツテーブル（０３ｈ）が示され、パーツテーブル（０３ｈ）には後半部分（Ｍ２（２））のパーツを示すべく、スタートアドレスＡ６  及びエンドアドレスＡ７  が記録されている。以降リンクは不要であるためパーツテーブル（０３ｈ）のリンク情報は『００ｈ』とされている。
【００６４】
第３曲目Ｍ３  ，第４曲目Ｍ４  についてもそれぞれテーブルポインタＰ−ＴＮＯ３，Ｐ−ＴＮＯ４を起点として得られるパーツテーブルによってそのパーツ位置が管理されている。なお、４曲しか録音されていないため、テーブルポインタＰ−ＴＮＯ５〜Ｐ−ＴＮＯ２５５までは使用されておらず『００ｈ』とされている。
また、使用していないパーツテーブルを示すテーブルポインタＰ−ＥＭＰＴＹ  は、この場合パーツテーブル（０７ｈ）を示しており、パーツテーブル（０７ｈ）からパーツテーブル（ＦＦｈ）までの全ての未使用のパーツテーブルがリンク情報によってリンクされている。
【００６５】
５．ＴＯＣ読込動作
このようにＵ−ＴＯＣで各楽曲（トラック）が管理され、これに基づいて記録／再生動作が行なわれることになるが、従って、記録再生装置の電源がオンとされた場合や、ディスク１が装填された場合には、まずＴＯＣ情報を読み込まなくてはならない。
通常のＴＯＣ読込動作としてはまず最内周側のＰ−ＴＯＣを読み込み、このＰ−ＴＯＣにおけるＵ−ＴＯＣスタートアドレスＵＳＴＡ  を確認して、Ｕ−ＴＯＣを読み込むという手順となる。
ところが本実施例の記録再生装置では、以下説明するように、最初にＵ−ＴＯＣを読み込む動作を実行することとしている。
【００６６】
ＴＯＣ読込動作時のシステムコントローラ１１の処理を図２に示す。
ＴＯＣ読込動作が開始されると、システムコントローラ１１は先ずＵ−ＴＯＣ読込動作の実行制御を行なう。Ｕ−ＴＯＣの記録位置は、Ｐ−ＴＯＣ内のＵ−ＴＯＣスタートアドレスＵＳＴＡ  に記録されているものであり、厳密にいえばディスクについてＰ−ＴＯＣを読み込んだあとでなければ正確な位置はわからないものとなっている。ところが、一般に殆ど全てのミニディスクにおいてはＵ−ＴＯＣスタートアドレスＵＳＴＡ  は、『００  ０３  ００』とされている。つまりクラスタアドレス（Ｃｌｕｓｔｅｒ  Ｈ）  （Ｃｌｕｓｔｅｒ  Ｌ）  が『００  ０３』、セクターアドレス（Ｓｅｃｔｏｒ）が『００』となる位置である。
【００６７】
従って、ディスク装填時点などでは実際に正確なＵ−ＴＯＣ位置はわからないが、取敢えず『００  ０３  ００』の位置にＵ−ＴＯＣがかかれているとかなりの確率で予測できる。
そこでステップＦ１０１として、まず光学ヘッド３をアドレス『００  ０３  ００』の位置にアクセスさせ、読込動作を実行させることになる。
【００６８】
アドレス『００  ０３  ００』から３クラスタ分としてＵ−ＴＯＣデータを読み込んだら、このディスクが前回の動作に用いたディスクと同一であるか否かを判断する（Ｆ１０２）。
この同一判断には、Ｕ−ＴＯＣ内の特定のデータを決めて照合すれば良い。
例えばＵ−ＴＯＣセクター０に管理される最後のトラックの最初のパーツにおけるエンドアドレスが一致するか否かなどの照合を行なえばよい。
なお、この照合のために前回用いていたディスクの動作終了時における、Ｕ−ＴＯＣセクター０に管理される最後のトラックの最初のパーツのエンドアドレスについては、その前回の動作時点でＳ−ＲＡＭ１１ａに記憶させるようにしておく。
【００６９】
もし今回のディスクが前回のディスクと同一であった場合は、その時点でＴＯＣ読込動作を終了する  （Ｆ１０２→Ｆ１０９）  。つまりＰ−ＴＯＣの読込は行なわないまま終了する。Ｐ−ＴＯＣを読み込まなくてもよい理由については後述する。
【００７０】
一方、今回のディスクが前回のディスクと同一でなかった場合は、次に光学ヘッド３をディスク最内周側のピットエリアにアクセスさせ、Ｐ−ＴＯＣの読込動作を実行させる（Ｆ１０３）。
ここで、読み込んだＰ−ＴＯＣデータのうち、必要なデータをＳ−ＲＡＭ１１ａに記憶させる処理を行なう（Ｆ１０４）。ここでは、録音時のレーザパワー推奨値（ＰＷ２）、リードアウトスタートアドレス（ＬＯＡ  ）、Ｕ−ＴＯＣスタートアドレスＵＳＴＡ  、レコーダブルユーザーエリアスタートアドレスＲＳＴＡ  を記憶するものとする。
つまり、記録／再生動作時について最低限必要で、かつ十分なデータを記憶することになる。
【００７１】
この時点で、Ｕ−ＴＯＣとＰ−ＴＯＣの両方を読み込んだことになるが、最初のステップＦ１０１でのＵ−ＴＯＣ読込は、あくまで予測位置で行なったものであるため、実際には正確にＵ−ＴＯＣが読み込まれていない場合もある。
Ｕ−ＴＯＣが正確に読み込まれなかった場合は、そのディスクが、ユーザーが何も録音を行なっていないブランクディスクと判断されるか、もしくは不適正なディスクであってディスクエラーとして判断されることになる。
【００７２】
ブランクディスクの判断としては次のように行なわれる。まず、録音が一度も行なわれていない適正なブランクディスクでは、まだＵ−ＴＯＣ自体も記録されていないため、Ｕ−ＴＯＣセクターの同期パターンが検出できない。つまりＵ−ＴＯＣが無いことからブランクディスクと判断する。
また一旦録音されたが、ユーザーが全ての録音内容を消去した場合は、Ｕ−ＴＯＣにおける最初のトラックのトラックナンバ（Ｆｉｒｓｔ  ＴＮＯ）  と、最後のトラックのトラックナンバ（Ｌａｓｔ  ＴＮＯ）の両方が『０』とされることで、ブランクディスクであると示される。
【００７３】
ここで、もしＵ−ＴＯＣが『００  ０３  ００』とは別の位置にあった場合は、ステップＦ１０１の読込ではＵ−ＴＯＣセクターの同期パターンが検出できないため、ブランクディスクと判断されることになる。
また、Ｕ−ＴＯＣが『００  ０３  ００』とは別の位置にあり、Ｕ−ＴＯＣセクターが読めない場合は、不適正なディスクであってディスクエラーとして判断されることもある。
【００７４】
従って、ステップＦ１０４を終了した時点で、もしブランクディスク又はディスクエラーと判断された場合というのは、もちろん本当にブランクディスク又はディスクエラーである場合もあるが、Ｕ−ＴＯＣが適正に読み込めていないためにブランクディスク又はディスクエラーと誤判断された可能性もあることになる。
【００７５】
ステップＦ１０４を終了した時点でブランクディスク又はディスクエラーと判断されなかった場合は、Ｕ−ＴＯＣとＰ−ＴＯＣが適正に読み込めた場合である。従ってＴＯＣ読込処理は終了し、記録／再生動作可能状態となる  （Ｆ１０５→Ｆ１０６→Ｆ１０９）  。
【００７６】
ところがブランクディスク又はディスクエラーと判断されたらステップＦ１０５又はＦ１０６からＦ１０７に進み、読み込んだＰ−ＴＯＣデータ内のＵ−ＴＯＣスタートアドレスＵＳＴＡ  を確認する。即ち本当にＵ−ＴＯＣが『００  ０３  ００』の位置から記録されているか否かを確認する。
Ｕ−ＴＯＣスタートアドレスＵＳＴＡ  の値が『００  ０３  ００』であったら、ステップＦ１０１におけるＵ−ＴＯＣ読込は正しい動作であったと確認されたことになるため、そのまま処理は終了する  （Ｆ１０７→Ｆ１０９）  。つまり、本当にブランクディスク又はディスクエラーであった場合である。そしてブランクディスクであった場合には以降録音可能状態となり、またディスクエラーであった場合には、ユーザーに対してエラー警告を表示部２０などから行なうことになる。
【００７７】
ステップＦ１０７でＵ−ＴＯＣスタートアドレスＵＳＴＡ  の値が『００  ０３  ００』でないと判別された場合は、ステップＦ１０１におけるＵ−ＴＯＣ読込は誤った位置で行なわれたものと判断できる。
従って、ステップＦ１０８に進んで、Ｕ−ＴＯＣスタートアドレスＵＳＴＡ  として示される位置からのＵ−ＴＯＣ読込動作を実行し、Ｕ−ＴＯＣの読込を完了したらＴＯＣ読込処理を終了する  （Ｆ１０８→Ｆ１０９）  。
【００７８】
本実施例ではこのようにＴＯＣ読込動作が行なわれることになるが、上述したようにステップＦ１０２で前回の動作時と同一ディスクであると判断されたときは、Ｐ−ＴＯＣを読み込まずにＴＯＣ読込動作を終了させている。
これは、そのディスクに対して過去に行なわれたＴＯＣ読込動作のうちの、最初のＴＯＣ読込動作時にステップＦ１０４で必要なＰ−ＴＯＣ情報がＳ−ＲＡＭ１１ａに記憶されているため、再度Ｐ−ＴＯＣを読み込まなくても、記録／再生動作が可能となるためである。
【００７９】
つまり、或るディスクが装填されたままの状態で電源オン／オフが繰り返されたり、ディスクが一旦取り出されても、他のディスクが挿入されることなく、再び同じディスクが装填されたような場合はＰ−ＴＯＣの読込は不要となり、ＴＯＣ読込動作は短時間で終了できることになる。
従って例えばユーザーが電源オンの操作を行なったり、ディスクを装填したりしてから、記録／再生動作が可能となるまでの時間が短縮化される機会が多くなり、使用感は向上することになる。例えば携帯用の記録再生装置などで、ディスクを入れ換えないまま電源操作を行なうことの多い装置の場合は、Ｐ−ＴＯＣのアクセス及び読込時間が省略される機会が増え、好適なものとなる。
【００８０】
なお、以上の実施例は記録再生装置で説明したが、記録専用装置、再生専用装置であっても本発明を適用できる。
またミニディスクシステムに限らず、記録媒体に再生専用の管理情報と書換可能な管理情報を有するシステムであれば本発明を適用できる。
【００８１】
【発明の効果】
以上説明したように本発明の記録装置は、まず第２の管理情報の読み込みを行ない、そのときに比較手段によって記録媒体が交換されていないと判別された場合は、第１の情報を読み込まないで管理情報の読込動作を終了し、つまり第１の管理情報については記憶手段に記憶されている情報を用いるようにしているため、管理情報の読込時間を短縮でき、これによって短時間で記録／再生動作可能状態とすることができるという効果がある。
【００８２】
また記録媒体が交換されていると判別された場合には第２の管理情報の読込に続いて第１の管理情報の読み込みを行なうこと、及び、実際の第２の管理情報の記録位置が最初の第２の管理情報の読込動作位置と異なっていた場合は、第１の管理情報に示される位置からの第２の管理情報の読込動作を実行するようにすることで、不適切な管理情報読込状態のままで終了してしまうことは防止される。
【図面の簡単な説明】
【図１】本発明の実施例の記録再生装置のブロック図である。
【図２】実施例の記録再生装置のＴＯＣ読込処理のフローチャートである。
【図３】ディスクのＰ−ＴＯＣセクター０の説明図である。
【図４】ディスクのＵ−ＴＯＣセクター０の説明図である。
【図５】ディスクのＵ−ＴＯＣセクター０のリンク形態の説明図である。
【図６】ディスクのエリア構造及び記録状態例の説明図である。
【図７】Ｕ−ＴＯＣによる管理状態例の説明図である。
【符号の説明】
１  ディスク
３  光学ヘッド
６ａ  磁気ヘッド
１１  システムコントローラ
１１ａ  Ｓ−ＲＡＭ
１２  メモリコントローラ
１３  バッファＲＡＭ
１９  操作部
２０  表示部
【図１】
0003617107.tif 000002
【図２】
0003617107.tif 000003
【図３】
0003617107.tif 000004
【図４】
0003617107.tif 000005
【図５】
0003617107.tif 000006
【図６】
0003617107.tif 000007
【図７】
0003617107.tif 000008